(57)【要約】【課題】多光面レーザーレベルの構造を簡単にする。【解決手段】レーザーモジュール１３０、１９０、プリズム１４０、分光鏡１８０、および円柱レンズ１５０、１６０，１７０を配置した錘１２０を支持ケーシングであるシェルフ上にピン接合し、錘をシェルフに対して少２軸方向の廻りの回転運動を可能として鉛直方向を設定する。レーザーモジュール１３０が発生するレーザービーム１３１は、屋根型プリズムにより分光されて分光束１３２は水平に伝送して円柱レンズ１５０より水平レーザー光面を展開し、分光束１３３はさらに分光鏡１８０により分光されて分光束１３４は斜め方向、分光束１３５は垂直上方に伝送されてそれぞれ、円柱レンズ１６０、１７０によりそれぞれの方向に展開する。鉛直下方には、レーザーモジュール１９０より錘内を通ってレーザービーム１９１が指標をなす。【選択図】図３
0003128325.tif 000002
【実用新案登録請求の範囲】
【請求項１】
シェルフ、錘、レーザーモジュール、第１分光鏡、第１柱状鏡、第２分光鏡、第２柱状鏡からなり；
該錘は、前記支持構造体であるシェルフ上にピン接合され、前記シェルフに対応して少なくとも２軸方向の回りに回転運動可能として前記錘の重心が重力方向に沿って鉛直線を定義し、
該レーザーモジュールは、前記錘中に設置され、前記鉛直線と直交する方向に伝送する第１レーザービームを発生し、
該第１分光鏡は、前記錘中の前記第１レーザービームの伝送経路上に設置され、前記第１レーザービームを分光して、第１分光束および第２分光束を発生し、
該第１柱状鏡は、前記錘中の前記第１分光束の伝送経路上に設置され、前記第１分光束を前記第１レーザー光面に転換し、
該第２分光鏡は、前記錘中の前記第２分光束の伝送経路上に設置され、前記第１分光束を更に分光し、第３分光束および第４分光束を発生し、
該第２柱状鏡は、前記錘中の前記第３分光束の伝送経路上に設置され、前記第３分光束を前記第２レーザー光面に転換する、
ように構成したことを特徴とする多光面レーザーレベル。
【請求項２】
前記第１分光鏡は、屋根型プリズムであり、前記第１レーザービームを分光し相互に直交する前記第１分光束および前記第２分光束を発生することを特徴とする請求項１記載の多光面レーザーレベル。
【請求項３】
前記第３分光束および第４分光束の出射挟み角が９０度以下であることを特徴とする請求項１記載の多光面レーザーレベル。
【請求項４】
更に、前記錘中の前記第４分光束の伝送経路上に第３柱状鏡を設置し、前記第４分光束を第３レーザー光面に転換することを特徴とする請求項１記載の多光面レーザーレベル。
【請求項５】
更に、前記錘中に第１レーザービームの伝送方向と反対の第２レーザービームを発生する第２レーザーモジュールを設置したことを特徴とする請求項１記載の多光面レーザーレベル。
【請求項６】
前記第２レーザーモジュールは、赤色発光レーザーモジュールであることを特徴とする請求項１記載の多光面レーザーレベル。
【請求項７】
前記第１レーザーモジュールが、緑色発光レーザーモジュールであることを特徴とする請求項１記載の多光面レーザーレベル。
【請求項８】
前記第１レーザー光面が、前記鉛直線と相互に直交する水平レーザー光面であることを特徴とする請求項１記載の多光面レーザーレベル。
【請求項９】
前記第２レーザー光面が、前記鉛直線と平行する垂直レーザー光面であることを特徴とする請求項１記載の多光面レーザーレベル。
【請求項１０】
前記錘は；
錘本体、プリズム台、分光鏡台からなり、
該プリズム台は、前記錘本体上に設置され、前記第１分光鏡および前記第１柱状レンズを載置し、
該分光鏡台は、前記プリズム台上に設置され、前記第２分光鏡および第２柱状レンズを載置すること
を特徴とする請求項１記載の多光面レーザーレベル。
【請求項１１】
前記第１柱状鏡および前記第２柱状鏡が、円柱レンズである請求項１記載の多光面レーザーレベル。
【考案の詳細な説明】
【技術分野】
【０００１】
本考案は、レーザーレベルに関し、特に、構造が簡易な多光面レーザーレベルに関する。
【背景技術】
【０００２】
科学技術の発展に伴い、レーザーレベルは、既に、建築、改装工事に広く応用され、施工時の水平または垂直レベルを合わせる補助用具となっている。基準自動調整のレーザーレベルは、基準自動調整により水平または垂直レベルの基準となるレーザー光面を発生し、目標物上に基準とする水平線または垂直線を投射することによって、正確に建築施工を可能とするもので、近年建築、改装業界の脚光を浴びている。
【０００３】
従来技術は、多種の錘自動調整の多光面レーザーレベルがあるが、各レーザー光面が使用するレーザー光源を必要とする制約を受け、レーザーレベルの価格および体積は簡易化を達成することが難しくなっている。例えば、中華民国公告第２７０１７２号「立体投影レベリング投光計器」、中華民国公告第５７０１８８号「多方向レーザーレベルの改良」および中華民国公告第Ｍ２４７８２０号「吊り下げ可能なレーザー計器」等の特許が開示するレーザーレベルは、個別にレーザー光源を使用することにより各レーザー光面を発生するものであり、この複雑な構成のため多光面レーザーレベルの価格および体積を小さくすることは容易ではない。
【特許文献１】特開２００５−３１５８９９号公報
【特許文献２】特開２００３−３３７０２４号公報
【考案の開示】
【考案が解決しようとする課題】
【０００４】
本考案は、レーザーモジュールを使用して複数のレーザー光面を発生し、更にレーザーレベルの価格および体積を低減することができる構造が簡易な多光面レーザーレベルを提供することを目的とする。
【課題を解決するための手段】
【０００５】
上記の目的を達成する為、本考案が提供する「多光面レーザーレベル」は：シェルフと、錘と、レーザーモジュールと、第１分光鏡と、第１柱状鏡（レンズ）と、第２分光鏡と、第２柱状鏡（レンズ）とを含むものである。そのうち、錘は、シェルフ上にピン接合され、シェルフに対応して少なくとも2つの軸方向に回転運動を可能として錘の重心が重力方向に沿って鉛直線を定義できるようにする。レーザーモジュールは、錘中に設置され、鉛直線方向に沿って伝送するレーザービームを発生させることに用いられる。第１分光鏡は、錘中の前記レーザービームの伝送経路上に設置され、レーザービームを分光して第１分光束および第２分光束を発生する。第１柱状レンズは、錘中の第１分光束の伝送経路上に設置され、第１分光束をレーザー光面に変換する。第２分光鏡は、錘中の第２分光束の伝送経路上に設置され、第２分光束を再度分光して第３分光束および第４分光束を発生する。第２柱状レンズは、錘中の第３分光束の伝送経路上に設置され、第３分光束を他のレーザー光面に変換する。
【考案の効果】
【０００６】
本考案は、レーザーモジュールを使用して複数のレーザー光面を発生し、更にレーザーレベルの価格および体積を低減することができる構造が簡易な多光面レーザーレベルを提供する。
【考案を実施するための最良の形態】
【０００７】
図１〜図４は、多光面レーザーレベルの実施例を示すものである。図中、レーザーレベル１００は：シェルフ１１０と、シェルフ１１０上にピン接合し、シェルフに対して少なくとも２つの軸廻りに回転運動する錘１２０と、錘１２０中に設置される緑色発光レーザーモジュール１３０と、屋根型プリズム１４０と、円柱レンズ１５０，１６０，１７０と、分光鏡１８０および赤色発光レーザーモジュール１９０とを含むものである。当該技術を熟知するものであれば、分かるように、円柱レンズ１５０，１６０，１７０は、半円柱レンズ等の異なる柱状レンズを選択的に用いて置き換えることができる。
【０００８】
そのうち、錘１２０は、錘本体１２１、プリズム台１２４、および分光鏡台１２５から構成される。プリズム台１２４は、螺子２０１によりそれぞれ錘本体１２１の螺子孔３０１に螺合されて錘本体１２１上に固定され、屋根型プリズム１４０および円柱レンズ１５０を載置することに用いられる。
分光鏡台１２５は螺子２０２によりそれぞれプリズム台１２４の螺子孔３０２に螺合されてプリズム台１２４上に固定され、分光鏡１８０および円柱レンズ１６０，１７０を載置することに用いられる。
【０００９】
また、錘本体１２１の貫通孔３０３は、シャフト１２３を穿合し、両端は、それぞれベアリング（図示せず）によりベアリング台１２２の貫通孔３０４，３０５にピン接合し、錘１２０が、重力方向に従って、第１軸方向４０１の周りに回転運動をすることができるようにする。ベアリング台１２２の貫通孔３０６，３０７は、他のベアリング（図示せず）によりシェルフ１１０上にピン接合され、錘１２０が、重力方向に従って、第２軸方向４０２の廻りに回転運動可能とする。
錘１２０は、前記のように、重力の影響により揺動し、錘１２０の重心が重力方向に鉛直線５０１を定義できるようにされて、鉛直線５０１は正確に錘１２０の中心軸線上に位置する。図３に示されるように、緑色発光レーザーモジュール１３０は、縦方向に錘１２０の中心軸線上に配置され、発生するレーザービーム１３１が鉛直線５０１に沿って伝送できるようにすることによって、錘に対して横方向に配置される場合に生じる錘１２０の容積の増加を回避すると共に構造を簡易にすることができる。
【００１０】
屋根型プリズム１４０は、錘１２０中のレーザービーム１３１の伝送経路上に設置され、レーザービーム１３１を分光し、相互に直交する分光束１３２，１３３を発生することに用いられる。分光束１３２は、水平方向に伝送され、垂直に載置される円柱レンズ１５０に入射され、円柱レンズ１５０は、分光束１３２を鉛直線１２１と直交する水平レーザー光面に展開し、この水平レーザー光面は、垂直面上に水平基準線を投射し、施工の水平レベル基準線とすることができる。
【００１１】
分光束１３３は、鉛直線５０１方向に沿って伝送され、分光鏡１８０に入射され、分光束１３３を更に分光し、分光束１３４，１３５を発生する。分光束１３４は、水平に近く但しやや上向き方向に伝送されて水平装置の円柱レンズ１６０に入射され、円柱レンズ１６０は、分光束１３４を鉛直線１２１と平行な垂直レーザー光面に展開し、この垂直レーザー光面は、垂直面上に垂直基準線を投射し、施工の垂直レベル基準線とすることができる。
【００１２】
そのうち、分光束１３４の伝送方向は、分光鏡１８０の角度を微調整することで、分光束１３４が水平に近く但しやや上向きに伝送させて、垂直面上に投射し天井板に延長する基準線とすることができるものであり、また、分光鏡１８０が発生する分光束１３４，１３５の出射角度は、９０度以下である。
【００１３】
また、分光束１３５は、鉛直線５０１方向に沿って伝送され、円柱レンズ１７０に入射され、円柱レンズ１７０は、分光束１３５を上向き投射するレーザー光面に展開し、天井板に垂直面に延伸する基準線と直交する基準線を投射することに用い、鉛直線５０１から上向きに天井板に延長する交錯基準点を指示する。
【００１４】
図３中、赤色発光レーザーモジュール１９０は、縦方向に錘の中心線上に配置され、発生するレーザービーム１９１は、鉛直線５０１に沿って下方向に伝送され、地板上に投射されて鉛直線５０１および地板に直交する基準点を指示し、天井板の基準点と相互に対応して施工者に下から上までの対応基準を提供する。
【００１５】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１６】
【図１】本考案の好適な実施例に基づく多光面レーザーレベルの立体図である。
【図２】図１の多光面レーザーレベルの部分分解図である。
【図３】図２の錘およびそのうちの装置の断面図である。
【図４】図２の錘およびそのうちの装置の部分分解図である。
【符号の説明】
【００１７】
１００ 多光面レーザーレベル
１１０ シェルフ
１２０ 錘
１２１ 錘本体
１２２ ベアリング台
１２３ シャフト
１２４ プリズム台
１２５ 分光鏡台
１３０ 緑色発光レーザーモジュール
１３１,１３２，１３３，１３４，１３５，１９１ ビーム
１４０ 屋根型プリズム
１５０，１６０，１７０ 円柱レンズ（鏡）
１８０ 分光鏡
１９０ 赤色発光レーザーモジュール
２０１，２０２ 螺子
３０１，３０２ 螺子孔
３０３，３０４，３０５，３０６，３０７ 貫通孔
４０１，４０２ 軸方向
５０１ 鉛直線
【図１】
0003128325.tif 000003
【図２】
0003128325.tif 000004
【図３】
0003128325.tif 000005
【図４】
0003128325.tif 000006